(57)【要約】【課題】おしぼりの洗浄において、洗い工程後又はすすぎ工程に適量添加することにより、おしぼりの仕上がり白度を向上させることが可能であり、排水の中和の負担を軽減し、更には排水の清澄化が可能なおしぼり洗浄用白度向上剤を提供する。また、かかるおしぼり洗浄用白度向上剤を用いたおしぼり洗浄方法を提供する。【解決手段】硫酸アルミニウム及びその複塩からなる群から選択される少なくとも一種のアルミニウム化合物よりなるおしぼり洗浄用白度向上剤である。また、おしぼりの洗浄において、すすぎに使用される水に対して前記白度向上剤を０．０１〜５質量％使用することを特徴とするおしぼりの洗浄方法である。【選択図】        なし【特許請求の範囲】
【請求項１】
硫酸アルミニウム及びその複塩からなる群から選択される少なくとも一種のアルミニウム化合物よりなるおしぼり洗浄用白度向上剤。
【請求項２】
おしぼりの洗浄において、すすぎに使用される水に対して請求項１に記載の白度向上剤を０．０１〜５質量％使用することを特徴とするおしぼりの洗浄方法。
【発明の詳細な説明】
【０００１】
【発明の属する技術分野】
本発明は、おしぼり洗浄用白度向上剤及びそれを用いたおしぼりの洗浄方法に関し、特に商業クリーニングにおけるおしぼりの洗い工程後、或いは、すすぎ工程に使用する、おしぼり洗浄用白度向上剤に関するものである。
【０００２】
【従来の技術】
クリーニング業におけるおしぼり洗浄については、旧厚生省環境衛生局長通知第１５７号によって、衛生的処理等に関する指導基準（処理基準、衛生基準、検査法）が定められており、おしぼりの処理方法としては、６０℃以上の高温で洗浄し、洗濯工程中に消毒効果のある塩素剤を使用する洗浄方法が一般的に行われている。
【０００３】
貸おしぼりとしては、通常、白色のものが多用されており、貸おしぼりの洗濯工程中に塩素剤を使用することにより、該貸おしぼりが消毒及び漂白されるが、衛生素材に対する嗜好性から、より白色度の高いものが望まれている。
【０００４】
また、すすぎ工程や脱水工程で排出される排水は通常アルカリ性であるため、該排水の処理には中和剤として硫酸などが使用されている。しかしながら、排水の中和剤として硫酸等を使用すると、排水溝などの腐食が避けられない。更に、上記排水中には、繊維屑あるいは濁質成分が含まれるため、その処理が難しいという問題もあった。
【０００５】
【非特許文献１】
旧厚生省環境衛生局長通知第１５７号，「貸おしぼりの衛生確保について」
【０００６】
【発明が解決しようとする課題】
そこで、本発明の目的は、おしぼりの洗浄において、洗い工程後又はすすぎ工程に適量添加することにより、おしぼりの仕上がり白度を向上させることが可能であり、排水の中和の負担を軽減し、更には排水の清澄化が可能なおしぼり洗浄用白度向上剤を提供することにある。また、本発明の他の目的は、かかるおしぼり洗浄用白度向上剤を用いたおしぼり洗浄方法を提供することにある。
【０００７】
【課題を解決するための手段】
本発明者らは、上記目的を達成するために鋭意検討した結果、特定のアルミニウム化合物をおしぼりの洗浄工程の洗いの後又はすすぎ時に適量添加することにより、おしぼりの仕上がり白度が向上し、排水のｐＨを下げて中性に近づけることができ、更には排水を清澄化できることを見出し、本発明を完成させるに至った。
【０００８】
即ち、本発明のおしぼり洗浄用白度向上剤は、硫酸アルミニウム及びその複塩からなる群から選択される少なくとも一種のアルミニウム化合物よりなることを特徴とする。ここで、上記アルミニウム化合物は、使用目的から鑑みて人体に対して無害であることが必要で、旧化粧品原料基準などの規格に適合しているものが望ましく、具体的には、硫酸アルミニウムカリウム、硫酸アルミニウムアンモニウムなどのミョウバン類が好ましい。
【０００９】
また、本発明のおしぼりの洗浄方法では、すすぎに使用される水に対して上記白度向上剤を０．０１〜５質量％、好ましくは０．０５〜１質量％使用する。ここで、上記白度向上剤は、おしぼりの洗浄工程において、洗いの後或いは、すすぎ時に直接、或いは水に溶解させて使用される。上記白度向上剤を添加することにより、洗浄に供されるおしぼりの仕上がり白度が向上すると共に、洗浄後に排出される排水のｐＨが中性に近づき且つその清澄化が促進される。
【００１０】
【発明の実施の形態】
以下に、本発明を詳細に説明する。本発明のおしぼり洗浄用白度向上剤は、硫酸アルミニウム及びその複塩からなる群から選択される少なくとも一種のアルミニウム化合物よりなり、該アルミニウム化合物は、硫酸基（ＳＯ４）を含む硫酸塩である。該アルミニウム化合物として、具体的には、硫酸アルミニウム、乾燥硫酸アルミニウム、ミョウバンおよび乾燥ミョウバン等が挙げられる。一般に、乾燥ミョウバンとはミョウバンの無水物（焼ミョウバン）を指すが、本発明においては、結晶水の一部を放出した形のミョウバンも乾燥ミョウバンとして使用することが出来る。本発明に係わるアルミニウム化合物は、使用目的から鑑みて人体に対して無害であることが必要で、旧化粧品原料基準などの規格に適合していることが望ましく、具体的には、硫酸アルミニウムカリウム、硫酸アルミニウムアンモニウムなどのミョウバン類が好ましい。
【００１１】
本発明のおしぼり洗浄用白度向上剤は、おしぼりの洗浄工程において、洗いの後、或いはすすぎ時に直接、或いは水に溶解させて使用される。ここで、おしぼりの洗浄工程は、一般に洗い工程、排水工程、すすぎ工程、脱水工程等からなり、各工程をそれぞれ複数回行ってもよい。上記白度向上剤の使用量は、すすぎに使用される水に対して０．０１〜５質量％であり、好ましくは０．０５〜１質量％の範囲である。おしぼり洗浄用白度向上剤の使用量が、すすぎに使用される水に対して０．０１質量％未満の場合、おしぼりの白度を向上させる効果が低く、使用量が５質量％を超えた場合、使用量の増加に伴う更なる白度向上効果が期待できない為、経済的でない。
【００１２】
また、本発明に係わるアルミニウム化合物は、水中で凝集性能を有しており、おしぼりの洗浄工程において排出される洗浄水或いは、すすぎ水中の繊維屑あるいは濁質成分を凝集沈殿させ排水を清澄化する。さらに、すすぎ工程および脱水工程で排出される排水は通常アルカリ性であるため、中和剤として硫酸などを使用することから排水溝などの腐食が避けられないが、本発明に用いるアルミニウム化合物は、硫酸基を含み、酸性であることから、排水の中和に要する硫酸の使用量を結果的に軽減することができ、そのため、排水溝などの腐食の進行を効果的に抑制することができる。
【００１３】
【実施例】
以下、本発明を実施例によって更に詳細に説明する。なお、洗浄後のおしぼりの白度を評価するにあたっては、以下の評価方法を用いた。
【００１４】
＜白度の評価方法＞
表面色の白さの程度を表す方法は、白色度（色の表示方法）としてＪＩＳ  Ｚ  ８７１５：１９９９に規定されている。本発明において、白度の評価にあたっては、分光方式を採用した日本電色（株）製の色差計ＳＥ−２０００を使用し、ＪＩＳＺ  ８７０１に基づいて、ＸＹＺの三刺激値を求め白度（ＷＢ）を算出した。測定結果を表１に示す。ここで、ＷＢの数値差が０．５以上あれば、専門者が見れば白度の違いを判別可能であり、ＷＢの数値差が１．０以上あれば、専門家でなくても、１０人中１０人が度の違いを判別可能である。
【００１５】
（実施例１）
試験は下記に示す条件に準拠して行い、被洗物としては実際にレストランなどで使用した、汚れの程度が著しいおしぼりを用いて重複洗浄を行う方法で洗浄した。
【００１６】
＜洗濯条件＞
洗浄機    ：ＬＡＶＡＸ  ＦＬＴ―２０００（稲本製作所製）
洗剤      ：アルカリ洗浄剤
被洗物    ：約１６０ｋｇ
洗浄工程  ：以下の工程を順次実施した。６０℃で１０分間洗い（一回目の洗い）、排水、６０℃で８分間洗い（二回目の洗い）、排水、３分間すすぎ（一回目のすすぎ）、排水、３分間すすぎ（二回目のすすぎ）、脱水、４分間すすぎ（三回目のすすぎ）、脱水、３分間すすぎ（四回目のすすぎ）、最終脱水後、包装仕上げ。
なお、次亜塩素酸ナトリウムを、三回目のすすぎ工程に使用し、１２％換算で２ｋｇ添加した。
【００１７】
予め、従来例として乾燥硫酸アルミニウムカリウム（乾燥カリミョウバン）を使用しない条件で洗浄を行い、白度評価用のサンプルを得た後、汚れの程度が同程度のおしぼりを用いて乾燥カリミョウバン［大明化学工業（株）製］を添加した洗浄試験を行った。乾燥カリミョウバンは、すすぎ工程の二回目に使用し、すすぎ水４００リットルに対して２００ｇ添加した。最終脱水後、包装仕上げ済みのおしぼりを評価した結果を表１に示す。
【００１８】
【表１】
2004277628.tif 000002
【００１９】
表１に示したように、洗浄後の薬剤使用有無による白度（ＷＢ）値の差は、平均値で１．４８あり、薬剤使用による白度向上が顕著に認められる。
【００２０】
【発明の効果】
本発明のおしぼり洗浄用白度向上剤をおしぼりの商業クリーニングに使用することにより、おしぼりの仕上がり白度を向上させることができると共に、洗浄後に排出される排水のｐＨを中性に近づけ且つその清澄化を促進することができる。